(57)【要約】  将来の無線通信システムに適するＵＬ参照信号等の構成を実現すること。本願のユーザ端末は、上りリンク（ＵＬ）参照信号を送信する送信部と、前記ＵＬ参照信号の送信を制御する制御部と、を具備し、前記制御部は、サブキャリア及びシンボルで構成される各リソース要素を定める第１のグリッドと、前記ＵＬ参照信号の周波数方向の配置間隔及び時間方向の配置間隔を定める第２のグリッドと、に基づいて、少なくとも一つのリソース要素に前記ＵＬ参照信号をマッピングする。
2017179658.tif 000002
【特許請求の範囲】
【請求項１】
上りリンク（ＵＬ）参照信号を送信する送信部と、
前記ＵＬ参照信号の送信を制御する制御部と、を具備し、
前記制御部は、サブキャリア及びシンボルで構成される各リソース要素を定める第１のグリッドと、前記ＵＬ参照信号の周波数方向の配置間隔及び時間方向の配置間隔を定める第２のグリッドと、に基づいて、少なくとも一つのリソース要素に前記ＵＬ参照信号をマッピングすることを特徴とするユーザ端末。
【請求項２】
前記第２のグリッドにおいて、前記周波数方向の配置間隔は、遅延スプレッドに基づいて定められ、前記時間方向の配置間隔は、ドップラー周波数に基づいて定められることを特徴とする請求項１に記載のユーザ端末。
【請求項３】
前記制御部は、前記サブキャリアの間隔及び／又は前記シンボルの時間長に基づいて、前記第２のグリッドにおける前記周波数方向の配置間隔及び／又は前記時間方向の配置間隔を制御することを特徴とする請求項１又は請求項２に記載のユーザ端末。
【請求項４】
前記制御部は、前記ＵＬ参照信号のマッピング候補となる複数のリソース要素が存在する場合、前記複数のリソース要素の少なくとも一つに前記ＵＬ参照信号をマッピングすることを特徴とする請求項１又は請求項２に記載のユーザ端末。
【請求項５】
前記第１及び／又は前記第２のグリッドは、予め定められる、又は、上位レイヤシグナリングにより設定される複数の候補グリッドの中から選択されることを特徴とする請求項１から請求項３のいずれかに記載のユーザ端末。
【請求項６】
ユーザ端末における無線通信方法であって、
上りリンク（ＵＬ）参照信号を送信する工程と、
サブキャリア及びシンボルで構成される各リソース要素を定める第１のグリッドと、前記ＵＬ参照信号の周波数方向の配置間隔及び時間方向の配置間隔を定める第２のグリッドと、に基づいて、少なくとも一つのリソース要素に前記ＵＬ参照信号をマッピングする工程と、を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、５Ｇ（5th  generation  mobile  communication  system）、５Ｇ＋（5G  plus）、Ｎｅｗ−ＲＡＴ（Radio  Access  Technology）などと呼ばれる）も検討されている。【０００３】
既存のＬＴＥシステム（例えば、ＬＴＥ  Ｒｅｌ．８−１３）では、無線基地局とユーザ端末間の下りリンク（ＤＬ）送信及び上りリンク（ＵＬ）送信に適用される伝送時間間隔（ＴＴＩ：Transmission  Time  Interval）は１ｍｓに設定されて制御される。ＴＴＩは、チャネル符号化されたデータパケット（トランスポートブロック）が送信される時間単位であり、スケジューリング、リンクアダプテーション（Link  Adaptation）などの処理単位となる。既存のＬＴＥシステムにおけるＴＴＩは、サブフレーム、サブフレーム長などとも呼ばれる。【０００４】
また、既存のＬＴＥシステムでは、通常サイクリックプリフィクス（ＣＰ）の場合、１ＴＴＩは１４シンボルを含んで構成される。通常ＣＰの場合、各シンボルは、６６．７μｓの時間長（シンボル長）を有し、サブキャリア間隔は、１５ｋＨｚである。また、通常ＣＰよりも長い拡張ＣＰの場合、１ＴＴＩは１２シンボルを含んで構成される。
【先行技術文献】
【非特許文献】
【０００５】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００６】
将来の無線通信システム（例えば、５Ｇ）では、超高速、大容量化、超低遅延などの要求を達成するために、広帯域の周波数スペクトルを利用することが検討されている。このため、将来の無線通信システムでは、既存のＬＴＥシステムで用いられる相対的に低い周波数帯（以下、低周波数帯という）よりも高い周波数帯（以下、高周波数帯という）（例えば、３０〜７０ＧＨｚ帯）を用いることで、広帯域の周波数スペクトルを確保することが検討されている。【０００７】
また、将来の無線通信システムでは、既存のＬＴＥシステムで用いられる低周波数帯を用いることで、広いカバレッジを確保することも想定される。このような将来の無線通信システムでは、低周波数帯から高周波数帯までの幅広い周波数帯に対応する新たな無線アクセス方式（ＲＡＴ（Radio  Access  Technology））（以下、５Ｇ  ＲＡＴという）を設計することが検討されている。【０００８】
低周波数帯、高周波数帯などの周波数帯毎に、無線回路の実現困難性や伝搬路環境が大きく異なることから、５Ｇ  ＲＡＴでは、複数の異なるニューメロロジー（numerology）が導入されることも想定される。ニューメロロジーとは、周波数方向及び／又は時間方向における通信パラメータ（例えば、サブキャリアの間隔（サブキャリア間隔）、シンボル長、ＣＰの時間長（ＣＰ長）、ＴＴＩの時間長（ＴＴＩ長）、ＴＴＩあたりのシンボル数、無線フレーム構成などの少なくとも一つ）である。【０００９】
このように、一以上のニューメロロジーが導入されることが想定される将来の無線通信システムにおいて、既存のＵＬ参照信号（ＲＳ：Reference  Signal）等の構成を用いる場合、ＵＬ参照信号等を適切に配置（マッピング）できない、または既存のＵＬ参照信号等の構成では性能目標を達成しない恐れがある。したがって、将来の無線通信システムに適するＵＬ参照信号等の構成が望まれる。【００１０】
本発明はかかる点に鑑みてなされたものであり、将来の無線通信システムに適するＵＬ参照信号等の構成を実現可能なユーザ端末及び無線通信方法を提供することを目的の一つとする。
【課題を解決するための手段】
【００１１】
本発明のユーザ端末の一態様は、上りリンク（ＵＬ）参照信号を送信する送信部と、前記ＵＬ参照信号の送信を制御する制御部と、を具備し、前記制御部は、サブキャリア及びシンボルで構成される各リソース要素を定める第１のグリッドと、前記ＵＬ参照信号の周波数方向の配置間隔及び時間方向の配置間隔を定める第２のグリッドと、に基づいて、少なくとも一つのリソース要素に前記ＵＬ参照信号をマッピングすることを特徴とする。
【発明の効果】
【００１２】
本発明によれば、将来の無線通信システムに適するＵＬ参照信号等の構成を実現することができる。
【図面の簡単な説明】
【００１３】
【図１】ニューメロロジーの一例を示す図である。
【図２】図２Ａ及び２Ｂは、ニューメロロジーグリッドとＲＳグリッドとの一例を示す図である。
【図３】図３Ａ−３Ｃは、第１の態様の第１の構成例に係るＵＬ参照信号の配置の一例を示す図である。
【図４】図４Ａ−４Ｃは、第１の態様の第１の構成例に係るＵＬ参照信号の配置の他の例を示す図である。
【図５】図５Ａ−５Ｃは、第１の態様の第１の構成例に係るＵＬ参照信号の配置の他の例を示す図である。
【図６】図６Ａ−６Ｃは、第１の態様の第２の構成例に係るＵＬ参照信号の配置の一例を示す図である。
【図７】図７Ａ−７Ｃは、第１の態様の第２の構成例に係るＵＬ参照信号の配置の他の例を示す図である。
【図８】図８Ａ−８Ｃは、第１の態様の第２の構成例に係るＵＬ参照信号の配置の他の例を示す図である。
【図９】ＵＬ参照信号が配置されないリソースユニットの一例を示す図である。
【図１０】図１０Ａ及び１０Ｂは、第１の態様に係るＲＳグリッド又は配置ＲＥの第１の補正例を示す図である。
【図１１】図１１Ａ及び１１Ｂは、第１の態様に係るＲＳグリッドの第２の補正例を示す図である。
【図１２】図１２Ａ−１２Ｄは、第１の態様に係るＲＳグリッド又は配置ＲＥの第３の補正例を示す図である。
【図１３】図１３Ａ及び１３Ｂは、第１の態様に係るＲＳグリッド又は配置ＲＥの第４の補正例を示す図である。
【図１４】図１４Ａ−１４Ｄは、第１の態様に係る配置ＲＥの第５の補正例を示す図である。
【図１５】図１５Ａ−１５Ｃは、第３の態様に係るＤＭ−ＲＳの第１のマッピング例を示す図である。
【図１６】図１６Ａ−１６Ｄは、第３の態様に係るＤＭ−ＲＳの第２のマッピング例を示す図である。
【図１７】第３の態様に係るＤＭ−ＲＳの第３のマッピング例を示す図である。
【図１８】図１８Ａ及び１８Ｂは、第３の態様に係るＤＭ−ＲＳの第４のマッピング例を示す図である。
【図１９】本実施の形態に係る無線通信システムの概略構成の一例を示す図である。
【図２０】本実施の形態に係る無線基地局の全体構成の一例を示す図である。
【図２１】本実施の形態に係る無線基地局の機能構成の一例を示す図である。
【図２２】本実施の形態に係るユーザ端末の全体構成の一例を示す図である。
【図２３】本実施の形態に係るユーザ端末の機能構成の一例を示す図である。
【図２４】本実施の形態に係る無線基地局及びユーザ端末のハードウェア構成の一例を示す図である。
【発明を実施するための形態】
【００１４】
将来の無線通信システムの無線アクセス方式（５Ｇ  ＲＡＴ）では、幅広い周波数帯や、要求条件が異なる多様なサービスに対応するため、一以上のニューメロロジーが導入されることが想定される。ここで、ニューメロロジーとは、周波数及び／又は時間方向における通信パラメータ（無線パラメータ）のセットである。当該通信パラメータのセットには、例えば、サブキャリア間隔、シンボル長、ＣＰ長、ＴＴＩ長、ＴＴＩあたりのシンボル数、無線フレーム構成の少なくとも一つが含まれてもよい。
【００１５】
「ニューメロロジーが異なる」とは、例えば、サブキャリア間隔、シンボル長、ＣＰ長、ＴＴＩ長、ＴＴＩあたりのシンボル数、無線フレーム構成の少なくとも一つがニューメロロジー間で異なることを示すが、これに限られない。
【００１６】
図１は、５Ｇ  ＲＡＴで用いられるニューメロロジーの一例を示す図である。図１に示すように、５Ｇ  ＲＡＴでは、シンボル長及びサブキャリア間隔が異なる複数のニューメロロジーが導入されてもよい。なお、図１では、ニューメロロジーの一例としてシンボル長及びサブキャリア間隔を例示するが、ニューメロロジーはこれらに限られない。
【００１７】
例えば、図１では、相対的に狭いサブキャリア間隔（例えば、１５ｋＨｚ）を有する第１のニューメロロジーと、相対的に広いサブキャリア間隔（例えば、３０〜６０ｋＨｚ）を有する第２のニューメロロジーが示される。第１のニューメロロジーのサブキャリア間隔は、既存のＬＴＥシステムのサブキャリア間隔と同一の１５ｋＨｚであってもよい。第２のニューメロロジーのサブキャリア間隔は、第１のニューメロロジーのサブキャリア間隔のＮ（Ｎ＞１）倍であってもよい。
【００１８】
また、サブキャリア間隔とシンボル長とは互いに逆数の関係にある。このため、第２のニューメロロジーのサブキャリア間隔を第１のニューメロロジーのサブキャリア間隔のＮ倍とする場合、第２のニューメロロジーのシンボル長は、第１のニューメロロジーのシンボル長の１／Ｎ倍となる。また、図１に示すように、第１のニューメロロジーと第２のニューメロロジーとでは、サブキャリア及びシンボルにより構成されるリソース要素（ＲＥ：Resource  Element）の構成も異なることとなる。
【００１９】
サブキャリア間隔が広くなると、無線基地局やユーザ端末の送受信機の位相雑音による伝送品質劣化を効果的に防止できる。特に、数十ＧＨｚなどの高周波数帯においては、サブキャリア間隔を広げることにより、伝送品質の劣化を効果的に防止できる。このため、第１のニューメロロジーと比べてサブキャリア間隔が広い第２のニューメロロジーは、高周波数帯の通信に適する。
【００２０】
また、シンボル長が短くなると、所定数（例えば、１４又は１２）のシンボルで構成されるＴＴＩ長も短くなるため、ユーザ端末の移動時のドップラー・シフトによるチャネル変動に起因する伝送品質劣化の低減や、遅延削減（latency  Reduction）に有効である。ＩｏＴ（Internet  of  Things）、ＭＴＣ（Machine  Type  Communication）、Ｍ２Ｍ（Machine  To  Machine）、ＵＲＬＬＣ（Ultra-reliable  and  low  latency  communication）などでは、データ量が小さいが遅延削減が要求される。このような遅延についての要求条件が厳しいサービスには、第１のニューメロロジーと比べてシンボル長が短い第２のニューメロロジーが適する。なお、既存のＬＴＥシステムよりも短いＴＴＩ（例えば、１ｍｓ未満のＴＴＩ）は、短縮ＴＴＩ、ショートＴＴＩ等と呼ばれてもよい。
【００２１】
なお、図示しないが、各ニューメロロジーのＴＴＩを構成するシンボル数は、既存のＬＴＥシステムと同様であってもよいし（例えば、通常ＣＰの場合１４、拡張ＣＰの場合１２）、異なっていてもよい。また、各ニューメロロジーのリソースの割り当て単位（リソースユニット）は、既存のＬＴＥシステムのリソースブロックペア（例えば、１２サブキャリア×１４シンボル、ＰＲＢ（Physical  Resource  Block）ペア）と同一であってもよいし、異なっていてもよい。既存のＬＴＥシステムとは異なるリソースユニットは、拡張ＲＢ（ｅＲＢ：enhanced  RB）等と呼ばれてもよい。
【００２２】
また、各ニューメロロジーのシンボルは、ＯＦＤＭ（Orthogonal  Frequency  Division  Multiplexing）シンボルであってもよいし、ＳＣ−ＦＤＭＡ（Single-Carrier  Frequency  Division  Multiple  Access）シンボル等の他のシンボルであってもよい。
【００２３】
また、図示しないが、ニューメロロジーの他の例として、サブキャリア間隔を既存のＬＴＥシステムの１／Ｎ倍にし、シンボル長をＮ倍にする構成も考えられる。この構成によれば、シンボルの全体長が増加するため、シンボルの全体長に占めるＣＰ長の比率が一定である場合でも、ＣＰ長を長くすることができる。これにより、通信路におけるフェージングに対して、より強い（ロバストな）無線通信が可能となる。
【００２４】
また、ユーザ端末が用いるニューメロロジーは、ＲＲＣ（Radio  Resource  Control）シグナリングや報知情報などの上位レイヤシグナリングなどにより準静的に設定されてもよいし、Ｌ１／Ｌ２制御チャネルにより動的に変更されてもよい。
【００２５】
このように、一以上のニューメロロジーが導入されることが想定される将来の無線通信システムにおいて、既存のＵＬ参照信号等の構成を用いる場合、ＵＬ参照信号等を適切に配置（マッピング）できない恐れがある。
【００２６】
具体的には、既存のＬＴＥシステムでは、リソースの割り当て単位である１ＰＲＢペア（例えば、１２サブキャリア×１４シンボル）を基準として、ＵＬ参照信号（例えば、復調用参照信号（ＤＭ−ＲＳ：DeModulation-Reference  Signal）、サウンディング参照信号（ＳＲＳ：Sounding  Reference  Signal）など）を配置するリソース要素（ＲＥ：Resource  Element）が定められる。
【００２７】
しかしながら、将来の無線通信システムでは、上述のように、一以上のニューメロロジーが導入される。上述したように、ニューメロロジーでは、サブキャリア及びシンボルにより構成されるＲＥが、ＬＴＥシステムのＲＥとは異なって定義されることも想定される。また、リソースの割り当て単位となるリソースユニット（の周波数帯域幅及び時間長）が既存のＬＴＥシステムの１ＰＲＢペアとは異なって定義されることも想定される。
【００２８】
したがって、将来の無線通信システムにおいて、既存のＬＴＥシステムのＵＬ参照信号の構成を適用する場合、ＵＬ参照信号をリソースユニット内のＲＥに適切に配置できない恐れがある。そこで、本発明者らは、将来の無線通信システムに適するＵＬ参照信号等の構成を検討し、本発明に至った。
【００２９】
具体的には、サブキャリア及びシンボルで構成される各リソース要素を定める第１のグリッド（後述するニューメロロジーグリッド）とは独立した第２のグリッド（後述する参照信号（ＲＳ）グリッド）に基づいて、ＵＬ参照信号等の構成を定義することにより、一以上のニューメロロジーが導入される場合に柔軟にＵＬ参照信号等を配置（マッピング）可能とすることを着想した。
【００３０】
以下、本実施の形態について詳細に説明する。なお、以下の説明では、ＵＬ参照信号の構成（マッピング、配置、割り当て、生成）について説明する。ＵＬ参照信号には、例えば、ＤＭ−ＲＳ、ＳＲＳの少なくとも一つが含まれてもよい。
【００３１】
また、本実施の形態に適用可能な信号は、ＵＬ参照信号に限られず、他のＵＬ信号及び／又はＵＬチャネルに対しても適用することができる。当該ＵＬ信号には、例えば、ランダムアクセスプリアンブル（ＰＲＡＣＨ：Physical  Random  Access  Channel）等が含まれてもよい。
【００３２】
また、以下の説明では、１アンテナポート（レイヤ）のＵＬ参照信号の構成について例示するが、本実施の形態は、複数のアンテナポート（レイヤ）のＵＬ参照信号にも適宜適用可能である。
【００３３】
（第１の態様）
第１の態様では、ニューメロロジーグリッドとは独立した参照信号（ＲＳ）グリッドによって定義されるＵＬ参照信号について説明する。無線基地局は、ニューメロロジーグリッドとＲＳグリッドとに基づいて、少なくとも一つのリソース要素（ＲＥ）にＵＬ参照信号をマッピングする。
【００３４】
ここで、ニューメロロジーグリッド（第１のグリッド）は、サブキャリア及びシンボルで構成される各ＲＥを定めるグリッドである。ニューメロロジーグリッドは、上述のニューメロロジー（すなわち、サブキャリア間隔、シンボル長、ＣＰ長、ＴＴＩ長、ＴＴＩあたりのシンボル数、無線フレーム構成の少なくとも一つ）に基づく。
【００３５】
また、ＲＳグリッド（第２のグリッド）は、ＵＬ参照信号の配置（例えば、ＵＬ参照信号の周波数方向の配置間隔及び時間方向の配置間隔）を定めるグリッドである。
【００３６】
図２は、ニューメロロジーグリッドとＲＳグリッドとの一例を示す図である。図２Ａでは、ニューメロロジーグリッドの一例が示され、図２Ｂでは、ＲＳグリッドの一例が示される。
【００３７】
図２Ａに示すように、ニューメロロジーグリッドは、サブキャリア間隔Δｆｎｕｍ及びシンボル長Δｔｎｕｍによって定められてもよい。図２Ａにおいて、ニューメロロジーグリッドは、複数のＲＥを構成し、各ＲＥは、所定のサブキャリア間隔Δｆｎｕｍの１サブキャリアと所定のシンボル長Δｔｎｕｍの１シンボルにより構成される。
【００３８】
また、ニューメロロジーグリッドでは、リソースの割り当て単位となるリソースユニット（リソースブロック、リソースブロックペア等ともいう）が示されてもよい。例えば、図２Ａでは、リソースユニットが、１４シンボルと１２サブキャリアにより構成される１６８ＲＥにより定義される。なお、当該１４シンボルは、１ＴＴＩと呼ばれてもよく、当該１２サブキャリアは、１ＰＲＢと呼ばれてもよい。
【００３９】
また、一以上の異なるニューメロロジーグリッド（例えば、Δｆｎｕｍ及びΔｔｎｕｍが異なる複数のニューメロロジーグリッド）が定義されてもよい。当該一以上のニューメロロジーグリッドは、予め規定されていてもよいし、上位レイヤシグナリングにより設定されてもよい。
【００４０】
また、当該一以上のニューメロロジーグリッドにおける周波数方向のグリッド間隔（例えば、Δｆｎｕｍ）及び時間方向のグリッド間隔（例えば、Δｔｎｕｍ）は、それぞれ、独立した上位レイヤシグナリングで設定されてもよい。また、上位レイヤシグナリングにより複数のニューメロロジーグリッドの候補が設定され、当該候補の中から選択される一つのニューメロロジーグリッドがＬ１／Ｌ２制御チャネルによりユーザ端末に通知されてもよい。
【００４１】
また、当該一以上のニューメロロジーグリッドにおける周波数方向のグリッド間隔（例えば、Δｆｎｕｍ）及び時間方向のグリッド間隔（例えば、Δｔｎｕｍ）は、それぞれ、独立した報知情報によって通知してもよい。
【００４２】
また、当該一以上のニューメロロジーグリッドにおける周波数方向のグリッド間隔（例えば、Δｆｎｕｍ）及び時間方向のグリッド間隔（例えば、Δｔｎｕｍ）は、それぞれ、独立した制御チャネルによって通知してもよい。
【００４３】
一方、図２Ｂに示すように、ＲＳグリッドは、遅延スプレッド、ドップラー周波数、システムの要求条件の少なくとも一つに基づいて定められてもよい。具体的には、ＲＳグリッドにおいて、ＵＬ参照信号の周波数方向の配置間隔ΔｆＲＳは、最大遅延スプレッド（例えば、コヒーレント帯域幅）に基づいて（又は、その関数により）定められてもよい。一方、ＵＬ参照信号の時間方向の配置間隔ΔｔＲＳは、最大ドップラー周波数（例えば、コヒーレント時間間隔）に基づいて（又は、その関数により）定められてもよい。或いは、周波数方向及び時間方向の配置間隔ΔｆＲＳ及びΔｔＲＳは、システムの要求条件（例えば、システムがサポートするユーザ端末の最大移動速度）等から定められてもよい。
【００４４】
また、ＲＳグリッドは、複数の異なるニューメロロジーグリッドに対して固定的に（すなわち、一つだけ）定義されてもよい。或いは、複数の異なるニューメロロジーグリッドにそれぞれ対応する、複数のＲＳグリッドが定義されてもよい。或いは、単一のニューメロロジーグリッドに対して複数のＲＳグリッドが定義されてもよい。
【００４５】
また、複数の異なるＵＬ参照信号（例えば、ＤＭ−ＲＳ及びＳＲＳ）にそれぞれ対応する、複数のグリッドが定義されてもよい。また、ＲＳグリッドは、送信レイヤ数、アンテナポート数の少なくとも一つに基づいて定義されてもよい。
【００４６】
ΔｆＲＳおよびΔｔＲＳは別々に通知してもよいし、セットの組み合わせを予め定義し、通知しても良い。
【００４７】
以上のような一以上のＲＳグリッドは、予め規定されていてもよいし、上位レイヤシグナリングにより設定されてもよいし、制御チャネルにより通知されてもよい。ＲＳグリッドにおける周波数方向のグリッド間隔（例えば、ΔｆＲＳ）及び時間方向のグリッド間隔（例えば、ΔｔＲＳ）は、それぞれ、独立した上位レイヤシグナリングで設定されてもよい。また、上位レイヤシグナリングにより複数のＲＳグリッドの候補が設定され、当該候補の中から選択される一つのＲＳグリッドがＬ１／Ｌ２制御チャネルによりユーザ端末に通知されてもよい。
【００４８】
なお、ニューメロロジーグリッド及び／又はＲＳグリッドは、図２に例示するように、グリッド自体が仕様で定義されてもよいし、所定の数式によりグリッドが示されてもよい。例えば、ＲＳグリッドは、上記ΔｔＲＳ及びΔｆＲＳに基づく数式であってもよい。また、ニューメロロジーグリッドは、上記Δｔｎｕｍ及びΔｆｎｕｍに基づく数式であってもよい。ＲＳグリッドが所定の数式によって示される場合、当該所定の数式においてニューメロロジーに基づくパラメータを考慮することで、ニューメロロジーに応じて適応的にＲＳグリッドを変化させる（ニューメロロジー毎のＲＳグリッドを定義する）ことができる。
【００４９】
以上のように、ニューメロロジーグリッドは、ＵＬ信号の送信に用いられる実体的なリソース（複数のＲＥ）を定めるのに対して、ＲＳグリッドは、当該実体的なリソースを定めず、ＵＬ参照信号の配置（割り当て、配置間隔、配置パターン）だけを定める。ニューメロロジーグリッドとＲＳグリッドとの双方に基づいてＵＬ参照信号の配置ＲＥを決定することで、一以上のニューメロロジーの導入により実体的なリソース（ＲＥ、リソースユニット）の定義が一定とならない場合にも、ＵＬ参照信号を適切に配置（マッピング）可能となる。
【００５０】
以下では、ニューメロロジーグリッドとＲＳグリッドとに基づくＵＬ参照信号の具体的な構成及びマッピング例を説明する。
【００５１】
＜第１の構成例＞
第１の構成例では、ニューメロロジーグリッドを一定とする場合のＵＬ参照信号の構成例が示される。第１の構成例では、単一のニューメロロジーグリッドに対して、ＵＬ参照信号の周波数方向及び／又は時間方向の配置間隔が異なる複数のＲＳグリッドが用いられてもよい。
【００５２】
図３−５を参照し、第１の構成例で用いられるＲＳグリッドと当該ＲＳグリッドを用いたＵＬ参照信号の配置例について説明する。なお、図３−５では、Δｆｎｕｍ、Δｔｎｕｍ、ΔｆＲＳ、ΔｔＲＳの値はそれぞれ一定であるものとする。また、図３−５に示すニューメロロジーグリッド、ＲＳグリッド、ＵＬ参照信号の配置は、一例にすぎず、これらに限られるものではない。また、図３−５に示すニューメロロジーグリッド及び／又はＲＳグリッドが所定の数式で示されてもよい。
【００５３】
図３では、ニューメロロジーグリッドを一定とする場合のＵＬ参照信号の構成例（初期状態）が示される。図３Ｃに示すように、ＵＬ参照信号の構成（ＵＬ参信号がマッピングされるＲＥ）は、図３Ａに示すニューメロロジーグリッドと図３Ｂに示すＲＳグリッドとを重ねることで、決定されてもよい。
【００５４】
例えば、ＲＳグリッドは、ニューメロロジーグリッドの所定のシンボル及び／又は所定のサブキャリア（ここでは、リソースユニット内の最初のシンボル及び最低又は最高の周波数のサブキャリア）を基準として、ニューメロロジーグリッドに重ねられてもよい。ＲＳグリッドが所定の数式で示される場合、当該所定の数式は、リソースユニット内のシンボルインデックス及び／又はサブキャリアインデックスに基づくものであってもよい。
【００５５】
図３ＢのＲＳグリッドにおいて、ＵＬ参照信号の周波数方向の配置間隔ΔｆＲＳは、図３Ａのニューメロロジーの４サブキャリアに相当し、時間方向の配置間隔ΔｔＲＳは、図３Ａのニューメロロジーの６シンボルに相当する。この場合、図３Ｃに示すように、４サブキャリア毎及び６シンボル毎のＲＥにＵＬ参照信号が配置される。
【００５６】
図４では、ニューメロロジーグリッドを一定とする場合、時間方向の配置間隔を短くする（密にする）ＲＳグリッドを用いたＵＬ参照信号の構成例が示される。この場合、ΔｔＲＳに所定の係数が乗算されてもよい。例えば、図４Ｂに示されるＲＳグリッドでは、ＵＬ参照信号の時間方向の配置間隔が、０．５×ΔｔＲＳであり、図３Ｂに示される時間方向の配置間隔ΔｔＲＳの半分となっている。
【００５７】
例えば、図４ＢのＲＳグリッドにおいて、ＵＬ参照信号の周波数方向の配置間隔ΔｆＲＳは、図４Ａのニューメロロジーの４サブキャリアに相当し、時間方向の配置間隔０．５×ΔｔＲＳは、図４Ａのニューメロロジーの３シンボルに相当する。この場合、図４Ｃに示すように、４サブキャリア毎及び３シンボル毎のＲＥにＵＬ参照信号が配置される。
【００５８】
図４に示すように、ニューメロロジーを一定とする場合において、ＲＳグリッドにおける時間方向の配置間隔を密にすることにより、ドップラー効果による周波数の変化により柔軟に対応できる。
【００５９】
図５では、ニューメロロジーグリッドを一定とする場合、周波数方向の配置間隔を短くする（密にする）ＲＳグリッドを用いたＵＬ参照信号の構成例が示される。この場合、ΔｆＲＳに所定の係数が乗算されてもよい。例えば、図５Ｂに示されるＲＳグリッドでは、ＵＬ参照信号の周波数方向の配置間隔が、０．５×ΔｆＲＳであり、図３Ｂに示される周波数方向の配置間隔ΔｆＲＳの半分となっている。
【００６０】
例えば、図５ＢのＲＳグリッドにおいて、ＵＬ参照信号の周波数方向の配置間隔０．５×ΔｆＲＳは、図５Ａのニューメロロジーの２サブキャリアに相当し、時間方向の配置間隔ΔｔＲＳは、図５Ａのニューメロロジーの６シンボルに相当する。この場合、図５Ｃに示すように、２サブキャリア毎及び６シンボル毎のＲＥにＵＬ参照信号が配置される。
【００６１】
図５に示すように、ニューメロロジーを一定とする場合において、ＲＳグリッドにおける周波数方向の配置間隔を密にすることにより、ユーザ端末は、より高い密度で周波数方向のチャネル品質を測定できるので、より高い周波数選択性に対応することができる。
【００６２】
なお、図示しないが、第１の構成例において、ニューメロロジーグリッドを一定とする場合、時間方向及び周波数方向の双方の配置間隔を短くする（密にする）ＲＳグリッドが用いられてもよい。この場合、チャネルの時間変動や周波数選択性に柔軟に対応することができる。
【００６３】
＜第２の構成例＞
第２の構成例では、ＲＳグリッドを一定とする場合のＵＬ参照信号の構成例が示される。第２の構成例では、サブキャリア間隔及び／又はシンボル長が異なる複数のニューメロロジーに対して、単一のＲＳグリッドが用いられてもよい。
【００６４】
図６−８を参照し、第２の構成例で用いられるＲＳグリッドと当該ＲＳグリッドを用いたＵＬ参照信号の配置例について説明する。なお、図６−８では、Δｆｎｕｍ、Δｔｎｕｍ、ΔｆＲＳ、ΔｔＲＳの値はそれぞれ一定であるものとする。また、図６−８に示すニューメロロジーグリッド、ＲＳグリッド、ＵＬ参照信号の配置は、一例にすぎず、これらに限られるものではない。以下では、第１の構成例との相違点を中心に説明する。
【００６５】
図６では、ＲＳグリッドを一定とする場合のＵＬ参照信号の構成例（初期状態）が示される。図６Ｃに示すように、ＵＬ参照信号の構成（ＵＬ参信号がマッピングされるＲＥ）は、図６Ａに示すニューメロロジーグリッドと図６Ｂに示すＲＳグリッドとを重ねることで、決定されてもよい。
【００６６】
例えば、図６ＢのＲＳグリッドにおいて、ＵＬ参照信号の周波数方向の配置間隔ΔｆＲＳは、図６Ａのニューメロロジーの４サブキャリアに相当し、時間方向の配置間隔ΔｔＲＳは、図６Ａのニューメロロジーの３シンボルに相当する。この場合、図６Ｃに示すように、４サブキャリア毎及び３シンボル毎のＲＥにＵＬ参照信号が配置される。
【００６７】
図７では、シンボル長を短くする（密にする）（すなわち、サブキャリア間隔を長くする）ニューメロロジーグリッドを用いる場合、一定のＲＳグリッドを用いたＵＬ参照信号の構成例が示される。この場合、Δｆｎｕｍ及びΔｔｎｕｍに所定の係数が乗算されてもよい。
【００６８】
例えば、図７Ａに示されるニューメロロジーグリッドでは、サブキャリア間隔が、２×Δｆｎｕｍであり、図６Ａに示されるサブキャリア間隔Δｆｎｕｍの２倍となっている。また、シンボル長は、０．５×Δｔｎｕｍであり、図６Ａに示されるシンボル長Δｔｎｕｍの１／２倍となる。すなわち、図７Ａの各ＲＥの帯域幅は、図６Ａの各ＲＥの２倍であり、図７Ａの各ＲＥの時間長は、図６Ａの各ＲＥの１／２倍となる。
【００６９】
また、１リソースユニット内のサブキャリア数及びシンボル数が同一である場合、図７Ａの１リソースユニットの帯域幅は、図６Ａの１リソースユニットの２倍であり、図７Ａの１リソースユニットの時間長は、図６Ａの１リソースユニットの１／２倍となる。
【００７０】
以上のようなニューメロロジーグリッドを用いる場合、図７Ｂに示すＲＳグリッドのＵＬ参照信号の周波数方向の配置間隔ΔｆＲＳは、図７Ａのニューメロロジーの２サブキャリアに相当し、時間方向の配置間隔ΔｔＲＳは、図７Ａのニューメロロジーの６シンボルに相当する。この場合、図７Ｃに示すように、２サブキャリア毎及び６シンボル毎のＲＥにＵＬ参照信号が配置されてもよい。
【００７１】
図８では、シンボル長を長くする（すなわち、サブキャリア間隔を短く（密に）する）ニューメロロジーグリッドを用いる場合、一定のＲＳグリッドを用いたＵＬ参照信号の構成例が示される。この場合、Δｆｎｕｍ及びΔｔｎｕｍに所定の係数が乗算されてもよい。
【００７２】
図８Ａに示されるニューメロロジーグリッドでは、サブキャリア間隔が、０．５×Δｆｎｕｍであり、図６Ａに示されるサブキャリア間隔Δｆｎｕｍの１／２倍となっている。また、シンボル長は、２×Δｔｎｕｍであり、図６Ａに示されるシンボル長Δｔｎｕｍの２倍となる。すなわち、図８Ａの各ＲＥの帯域幅は、図６Ａの各ＲＥの１／２倍であり、図８Ａの各ＲＥの時間長は、図８Ａの各ＲＥの２倍となる。
【００７３】
また、１リソースユニット内のサブキャリア数及びシンボル数が同一である場合、図８Ａの１リソースユニットの帯域幅は、図６Ａの１リソースユニットの１／２倍であり、図８Ａの１リソースユニットの時間長は、図６Ａの１リソースユニットの２倍となる。
【００７４】
以上のようなニューメロロジーグリッドを用いる場合、図８Ｂに示すＲＳグリッドのＵＬ参照信号の周波数方向の配置間隔ΔｆＲＳは、図８Ａのニューメロロジーの８サブキャリアに相当し、時間方向の配置間隔ΔｔＲＳは、図８Ａのニューメロロジーの１シンボルに近くなる。この場合、図８Ｃに示すように、８サブキャリア毎及び略１シンボル毎のＲＥにＵＬ参照信号が配置されてもよい。
【００７５】
図７及び８に示すように、同一のＲＳグリッドに対して異なるニューメロロジーグリッドが適用される場合、ＲＳグリッドにおける周波数方向及び時間方向の配置間隔ΔｆＲＳ、ΔｔＲＳが一定であっても、いくつのサブキャリア毎及びいくつのシンボル毎にＵＬ参照信号が配置されるかは異なることになる。
【００７６】
ところで、第１及び第２の構成例において、無線基地局が適用するニューメロロジーグリッド及び／又はＲＳグリッドによっては、ニューメロロジーグリッドとＲＳグリッドとを重ねても、適切にＵＬ参照信号を配置することができない恐れがある。そこで、以下では、ニューメロロジーグリッドとＲＳグリッドとを重ねる場合、リソースユニット内に適切にＵＬ参照信号が配置されるように、ＲＳグリッド又はＵＬ参照信号を配置（マッピング）するＲＥを補正する方法について説明する。
【００７７】
＜第１の補正例＞
上述のように、ニューメロロジーグリッドとＲＳグリッドとに基づいてＵＬ参照信号の構成を決定する場合（ニューメロロジーグリッドとＲＳグリッドとを重ねる場合）、ＵＬ参照信号が配置されないリソースユニットが生じることも想定される。図９は、ＵＬ参照信号が配置されないリソースユニットの一例を示す図である。
【００７８】
例えば、図９に示すように、ＲＳグリッドの周波数方向の配置間隔ΔｆＲＳが、ニューメロロジーグリッドによって示される１リソースユニットの帯域幅（ここでは、１２サブキャリア）よりも大きい場合、当該ニューメロロジーグリッドと当該ＲＳグリッドとを重ねても、リソースユニット＃２には、ＵＬ参照信号が配置されない。同様に、ＲＳグリッドの時間方向の配置間隔ΔｔＲＳが、ニューメロロジーグリッドによって示される１リソースユニットの時間長（ここでは、１４シンボル）よりも大きい場合にも、ＵＬ参照信号が配置されないリソースユニットが生じ得る。
【００７９】
リソースユニット内にＵＬ参照信号が配置されない場合、当該リソースユニットのチャネル推定を行うことができないため、無線基地局が、当該リソースユニットに割り当てられるＵＬ信号（例えば、ＵＬデータチャネル）を復調できない恐れがある。また、当該リソースユニットのチャネル品質を測定できないため、当該リソースユニットに割り当てられるＵＬ信号の送信制御（例えば、変調方式や符号化率の制御）を適切に行うことができない恐れがある。
【００８０】
そこで、第１の補正例では、各リソースユニットに少なくとも一つのＵＬ参照信号が配置されるように、（１）ＲＳグリッドを補正してもよいし、（２）ＵＬ参照信号の構成を補正してもよい。
【００８１】
図１０は、第１の補正例を示す図である。なお、図９−１０では、Δｆｎｕｍ、Δｔｎｕｍ、Δｆｒｓ、Δｔｒｓの値はそれぞれ一定であるものとする。また、図９−１０に示すニューメロロジーグリッド、ＲＳグリッド、ＵＬ参照信号の配置は、一例にすぎず、これらに限られるものではない。
【００８２】
図１０Ａでは、（１）ＲＳグリッドを補正する場合が示される。具体的には、サブキャリア間隔Δｆｎｕｍと１リソースユニット（ＰＲＢ）あたりのサブキャリア数とに基づいて、ＲＳグリッドの周波数方向の配置間隔ΔｆＲＳを制御してもよい（例えば、小さくする）。また、シンボル長Δｔｎｕｍと１リソースユニット（ＴＴＩ）あたりのシンボル数とに基づいて、ＲＳグリッドの時間方向の配置間隔ΔｔＲＳを制御してもよい（例えば、小さくする）。
【００８３】
例えば、図１０Ａでは、サブキャリア間隔Δｆｎｕｍと１２サブキャリアによって定まる１リソースユニットあたりの帯域幅に基づいて、ＲＳグリッドの周波数方向の配置間隔ΔｆＲＳが、０．５×ΔｆＲＳに補正される。これにより、リソースユニット＃２内にもＵＬ参照信号を配置することが可能となる。
【００８４】
図１０Ｂでは、（２）ＵＬ参照信号の配置ＲＥを補正する場合が示される。具体的には、周波数方向又は時間方向で隣接するリソースユニットにおけるＵＬ参照信号の構成をコピーすることで、各リソースユニット内の少なくとも一つのＲＥにＵＬ参照信号を配置してもよい。例えば、図１０Ｂでは、周波数方向に隣接するリソースユニット＃１のＵＬ参照信号の配置ＲＥの構成が、リソースユニット＃２にコピーされる。これにより、リソースユニット＃２内にもＵＬ参照信号を配置することが可能となる。
【００８５】
このように、ニューメロロジーグリッドとＲＳグリッドとに基づいてＵＬ参照信号の構成を決定する場合、各リソースユニットにおけるＵＬ参照信号の配置数及び配置位置が略等しくなるように、（１）ＲＳグリッド又は（２）ＵＬ参照信号の配置ＲＥが補正されてもよい。これにより、チャネル推定精度及び／又はチャネル品質の測定精度を向上させることができる。
【００８６】
＜第２の補正例＞
上述のように、ニューメロロジーグリッドとＲＳグリッドとに基づいてＵＬ参照信号の構成を決定する場合（ニューメロロジーグリッドとＲＳグリッドとを重ねる場合）、１サブキャリア及び／又は１シンボルあたりに複数のＵＬ参照信号となることも想定される。しかしながら、同じアンテナポートの複数のＵＬ参照信号を単一のＲＥに配置することはできない。
【００８７】
そこで、第２の補正例では、ニューメロロジーグリッドとＲＳグリッドとを重ねてＵＬ参照信号の構成を決定する場合、同じアンテナポートのＵＬ参照信号については、１又は複数のＲＥに対して一つのＵＬ参照信号が配置されるように、ＲＳグリッドを補正してもよい。具体的には、ＲＳグリッドの周波数方向の配置間隔ΔｆＲＳが、サブキャリア間隔Δｆｎｕｍ以上に補正されてもよい。また、ＲＳグリッドの時間方向の配置間隔ΔｔＲＳが、シンボル長Δｔｎｕｍ以上に補正されてもよい。
【００８８】
図１１は、第２の補正例を示す図である。なお、図１１では、一例として、１アンテナポートのＵＬ参照信号の構成が示される。図１１Ａでは、ＲＳグリッドの周波数方向の配置間隔ΔｆＲＳがサブキャリア間隔Δｆｎｕｍよりも小さい場合が示される。この場合、１サブキャリアあたりに複数のＵＬ参照信号となり得る。
【００８９】
このため、図１１Ｂでは、ＲＳグリッドの周波数方向の配置間隔ΔｆＲＳがサブキャリア間隔Δｆｎｕｍと等しく補正される。これにより、１サブキャリアあたりに１つのＵＬ参照信号が配置される。なお、図示しないが、ＲＳグリッドの周波数方向の配置間隔ΔｆＲＳがサブキャリア間隔Δｆｎｕｍより大きく補正されてもよいことは勿論である。また、１シンボルあたりに複数のＵＬ参照信号となる場合、ＲＳグリッドの時間方向の配置間隔ΔｔＲＳがシンボル長Δｔｎｕｍ以上に補正されてもよい。
【００９０】
＜第３の補正例＞
上述のように、ニューメロロジーグリッドとＲＳグリッドとに基づいてＵＬ参照信号の構成を決定する場合（ニューメロロジーグリッドとＲＳグリッドとを重ねる場合）、ＵＬ参照信号の配置候補となる複数のＲＥ（以下、候補ＲＥという）が存在し、ＵＬ参照信号の配置ＲＥを一意に特定できない場合が想定される。
【００９１】
そこで、第３の補正例では、ニューメロロジーグリッドとＲＳグリッドとを重ねると、複数の候補ＲＥが生じる場合、（１）当該複数の候補ＲＥの少なくとも一つを配置ＲＥとして選択してもよいし、（２）配置ＲＥを一意に特定できるようにＲＳグリッドを補正してもよい。
【００９２】
図１２は、第３の補正例を示す図である。図１２Ａでは、ＲＳグリッドにおけるΔｆＲＳ及びΔｔＲＳがそれぞれニューメロロジーグリッドのΔｆｎｕｍ及びΔｔｎｕｍの整数倍でない場合が示される。この場合、図１２Ａに示すように、ＵＬ参照信号を配置する複数の候補ＲＥが生じる場合がある。例えば、図１２Ａでは、ＲＳグリッドのＵＬ参照信号の配置ＲＥを一意に特定できるケース１と、２つの候補ＲＥが生じるケース２と、４つの候補ＲＥが生じるケース３とが示される。ケース２及び３では、どの候補ＲＥにＵＬ参照信号を配置するかが問題となる。
【００９３】
図１２Ａに示す場合、（１）複数の候補ＲＥの少なくとも一つを選択して、ＵＬ参照信号を配置（マッピング）してもよい。具体的には、図１２Ｂに示すように、複数の候補ＲＥの中から、ＲＳグリッドの周波数方向の配置間隔ΔｆＲＳ及び／又は時間方向の配置間隔ΔｔＲＳが小さく又は大きくなる単一の候補ＲＥを選択してもよい。
【００９４】
例えば、図１２Ｂでは、一方の周波数方向の配置間隔Δｆ’ＲＳは図１２ＡのΔｆＲＳよりも小さく、他方の周波数方向の配置間隔Δｆ’’ＲＳは図１２ＡのΔｆＲＳよりも大きくなる候補ＲＥが選択される。また、一方の時間方向の配置間隔Δｔ’ＲＳが図１１ＡのΔｔＲＳよりも小さく、他方の時間方向の配置間隔Δｔ’’ＲＳが図１２ＡのΔｔＲＳよりも大きくなる候補ＲＥが選択される。
【００９５】
或いは、図１２Ｃに示すように、複数の候補ＲＥの一部又は全てにＵＬ参照信号を配置してもよい。例えば、図１２Ｃでは、２つの候補ＲＥが生じるケース２において、一方の候補ＲＥにＵＬ参照信号が配置される場合と、双方の候補ＲＥにＵＬ参照信号が配置される場合とが示される。また、４つの候補ＲＥが生じるケース３において、２つの候補ＲＥにＵＬ参照信号が配置される場合と、４つの候補ＲＥの全てにＵＬ参照信号が配置される場合とが示される。どの候補ＲＥにＵＬ参照信号を配置するかは、予め定められてもよいし、所定の規則に従って決定されてもよい。
【００９６】
或いは、図１２Ｄに示すように、（２）ＲＳグリッドが補正されてもよい。具体的には、ＲＳグリッドの周波数方向の配置間隔ΔｆＲＳ及び／又は時間方向の配置間隔ΔｔＲＳを小さく又は大きくすることで、配置ＲＥを一意に特定してもよい。例えば、図１２Ｄでは、ＲＳグリッドの周波数方向及び時間方向の配置間隔Δｆ’ＲＳ及びΔｔ’ＲＳがそれぞれΔｆｎｕｍ及びΔｔｎｕｍの整数倍もしくは配置ＲＥが一意に特定されるように補正される。これにより、複数の候補ＲＥが生じるのを回避できる。
【００９７】
＜第４の補正例＞
上述のように、ニューメロロジーグリッドとＲＳグリッドとに基づいてＵＬ参照信号の構成を決定する場合、どのシンボル及び／又はどのサブキャリアを基準として、ニューメロロジーグリッドとＲＳグリッドとを重ねるかが問題となる。具体的には、ニューメロロジーグリッドによって示されるリソースユニット内に、一以上の用途の異なるチャネル（例えば、ＵＬデータチャネル（ＰＵＳＣＨ：Physical  Uplink  Shared  Channel）、ＵＬ制御チャネル（ＰＵＣＣＨ：Physical  Uplink  Control  Channel）、ＰＲＡＣＨ（Physical  Random  Access  Channel）など）を配置する場合、どのように、ＲＳグリッドをニューメロロジーグリッドに重ねるかが問題となる。
【００９８】
そこで、第４の補正例では、ニューメロロジーグリッドとＲＳグリッドとに基づいてＵＬ参照信号の構成を決定する場合、リソースユニット内に配置されるチャネルに基づいて、ＲＳグリッドの設定を制御してもよい。具体的には、リソースユニット内に配置されるチャネルに基づいてニューメロロジーグリッドに重ねる基準となるシンボル及び／又はサブキャリア（以下、基準シンボル及び／又は基準サブキャリアという）を決定してもよい。
【００９９】
図１３は、第４の補正例を示す図である。なお、図１３では、リソースユニット内に、ＰＵＳＣＨ以外のチャネル（例えば、ＰＵＣＣＨ）が配置される場合を例示する。図１３では、リソースユニット内の所定シンボル（ここでは、５番目のシンボル）に全サブキャリアに渡ってＰＵＳＣＨ以外のチャネルが配置される。
【０１００】
図１３Ａでは、ＰＵＳＣＨ以外のチャネルの有無に関係なく、リソースユニット内の１番目のシンボル及びリソースユニット内で最も低い周波数のサブキャリア（又は、最も高い周波数のサブキャリア）を基準として、ＲＳグリッドがニューメロロジーグリッドに重ねられる。
【０１０１】
図１３Ａにおいて、ＵＬ参照信号の配置ＲＥがＰＵＳＣＨ以外のチャネルと衝突する場合、ＲＳグリッドのΔｔＲＳが補正されてもよい。また、図示しないが、ＰＵＳＣＨ以外のチャネルが、リソースユニット内の特定のサブキャリアに全シンボルに渡って配置される場合において、ＵＬ参照信号の配置ＲＥが当該チャネルと衝突する場合、ＲＳグリッドのΔｆＲＳが補正されてもよい。
【０１０２】
図１３Ｂでは、ＰＵＳＣＨ以外のチャネルの配置シンボルに基づいて、リソースユニット内に基準シンボルが異なる複数のＲＳグリッドが設定される。具体的には、ＰＵＳＣＨ以外のチャネルの配置シンボルより前では、リソースユニット内の１番目のシンボルを基準とするＲＳグリッドが用いられ、ＰＵＳＣＨ以外のチャネルの配置シンボルより後では、６番目のシンボル（ＰＵＳＣＨ以外のチャネルの配置シンボルの次のシンボル）を基準とするＲＳグリッドが用いられる。
【０１０３】
図１３Ｂに示すように、ＰＵＳＣＨ以外のチャネルを考慮して基準シンボルが異なる複数のＲＳグリッドが重ねられる場合、ＵＬ参照信号の配置ＲＥがＰＵＳＣＨ以外のチャネルと衝突するのを防止できる。なお、図示しないが、ＰＵＳＣＨ以外のチャネルを考慮して、基準シンボル及び／又は基準サブキャリアが異なる複数のＲＳグリッドが設定されてもよい。
【０１０４】
＜第５の補正例＞
上述のように、ニューメロロジーグリッドとＲＳグリッドとに基づいてＵＬ参照信号の構成を決定する場合、１リソースユニット内のＲＥ数等に基づいて、ＵＬ参照信号の構成をより最適化することが望まれる。
【０１０５】
そこで、第５の補正例では、ニューメロロジーグリッドとＲＳグリッドとを重ねてＵＬ参照信号の構成を決定する場合、ＵＬ参照信号の配置ＲＥを変更してもよい。具体的には、ＵＬ参照信号の配置ＲＥを追加してもよいし、ＵＬ参照信号の配置ＲＥの少なくとも一つを削除してもよい（間引いてもよい）し、ＵＬ参照信号の配置ＲＥの少なくとも一つを周波数方向及び／又は時間方向にシフトしてもよい。
【０１０６】
図１４は、第５の補正例を示す図である。図１４Ａでは、ニューメロロジーグリッドとＲＳグリッドとを、１番目のシンボル及び最も低い周波数（又は、最も高い周波数）のサブキャリアを基準として重ねた場合が示される。
【０１０７】
図１４Ｂに示すように、図１４Ａにおいて決定されるＵＬ参照信号の配置ＲＥに加えて、少なくとも一つの配置ＲＥが追加されてもよい。例えば、図１４Ｂでは、リソースユニット内の最終シンボルに、３つの配置ＲＥが追加されている。
【０１０８】
或いは、図１４Ｃに示すように、図１４Ａにおいて決定されるＵＬ参照信号の少なくとも一つの配置ＲＥが、周波数方向及び／又は時間方向にシフトされてもよい。例えば、図１４Ｃでは、３つの配置ＲＥが、周波数方向にシフトされている。
【０１０９】
或いは、図１４Ｄに示すように、図１４Ａにおいて決定されるＵＬ参照信号の少なくとも一つの配置ＲＥが、削除されてもよい。例えば、図１４Ｄでは、６つの配置ＲＥが削除されている。
【０１１０】
このように、ニューメロロジーグリッドとＲＳグリッドとを重ねて決定されるＵＬ参照信号の配置ＲＥを変更することにより、リソースユニット内のＲＥ数に応じて、ＵＬ参照信号の配置数及び／又は配置パターンを最適化することができる。なお、図１４Ｂ、１４Ｃ、１４Ｄに示す配置ＲＥの追加、シフト、削除は単独で適用されてもよいし、少なくとも一つを組み合わせて適用されてもよい。
【０１１１】
また、上述した第１の補正−第５の補正は、ユーザ端末側で行うことができる。あるいは、無線基地局側で第１の補正−第５の補正を行った上で、補正後のＵＬ参照信号のマッピングの位置等に関する情報をユーザ端末に通知する構成としてもよい。
【０１１２】
（第２の態様）
第２の態様では、以上のように配置ＲＥが決定されるＵＬ参照信号の系列の生成について説明する。第２の態様は、第１の態様と組み合わせることが可能である。
【０１１３】
ＵＬ参照信号は、セル識別情報、ユーザ端末識別情報、スクランブル識別情報、スロット番号、上位レイヤ制御情報の少なくとも一つに基づいて生成されてもよい。
【０１１４】
ここで、セル識別情報は、セルの識別情報であり、例えば、物理セルＩＤ（ＰＣＩＤ：Physical  Cell  Identifier）、仮想セルＩＤ（ＶＣＩＤ：Virtual  Cell  Identifier）の少なくとも一つを含んでもよい。また、ユーザ端末識別情報は、ユーザ端末の識別情報であり、例えば、ＵＥ−ＩＤ（User  Equipment  Identifier）、ＲＮＴＩ（Radio  Network  Temporary  Identifier）を含んでもよい。また、上位レイヤ制御情報は、上位レイヤシグナリングにより設定される制御情報である。
【０１１５】
具体的には、セル識別情報、ユーザ端末識別情報、スクランブル識別情報、スロット番号、上位レイヤ制御情報の少なくとも一つに基づいて初期化される（系列シードとする）ＰＮ系列（Pseudo-Noise  sequence）（疑似ランダム系列（Pseudo-random  sequence）等ともいう）が生成され、当該ＰＮ系列に基づいてＵＬ参照信号が生成されてもよい。
【０１１６】
或いは、セル識別情報、ユーザ端末識別情報、スクランブル識別情報、スロット番号、上位レイヤ制御情報の少なくとも一つに基づいて初期化されるＺａｄｏｆｆ−Ｃｈｕ系列が生成され、当該Ｚａｄｏｆｆ−Ｃｈｕ系列に基づいてＵＬ参照信号が生成されてもよい。なお、ＵＬ参照信号の生成に用いられる系列は、ＰＮ系列、Ｚａｄｏｆｆ−Ｃｈｕ系列に限られず、その他の名称でよばれる系列であってもよい。
【０１１７】
（第３の態様）
第３の態様では、ＵＬ参照信号として用いられるＤＭ−ＲＳのマッピングについて説明する。第３の態様は、第１及び／又は第２の態様と組み合わせることが可能である。具体的には、第３の態様で説明するＤＭ−ＲＳの構成は、第１の態様で説明したように決定（及び補正）されてもよい。また、ＤＭ−ＲＳは、第２の態様で説明したように生成されてもよい。
【０１１８】
ここで、ＤＭ−ＲＳは、ＵＬデータチャネル（例えば、ＰＵＳＣＨ）の復調に用いられる参照信号であり、チャネル推定に用いられる。ＤＭ−ＲＳは、復調用参照信号、チャネル推定用参照信号等と呼ばれてもよい。
【０１１９】
図１５−１７を参照し、ＤＭ−ＲＳのマッピング（配置）例について説明する。なお、図１５−１７では、Δｆｎｕｍ及びΔｔｎｕｍで定められるニューメロロジーグリッドと、ΔｆＲＳ及びΔｔＲＳで定められるＲＳグリッドとに基づいて、ＤＭ−ＲＳをマッピングするＲＥ（マッピングＲＥ）が決定されるものとする。
【０１２０】
また、図１５−１７において、特定のサブキャリアは、サブキャリアインデックスによって特定され、特定のシンボルは、シンボルインデックスによって特定されてもよい。ＲＳグリッドが所定の数式で示される場合、ＤＭ−ＲＳの配置ＲＥは、当該サブキャリアインデックス及び／又は当該シンボルインデックスに基づいて特定されてもよい。
【０１２１】
＜第１のマッピング例＞
図１５は、ＤＭ−ＲＳの第１のマッピング例を示す図である。図１５では、特定のサブキャリアにおけるＲＳグリッド上のＲＥと、特定のシンボルにおけるＲＳグリッド上のＲＥとに、ＤＭ−ＲＳがマッピングされる。
【０１２２】
例えば、ＤＭ−ＲＳがマッピングされる特定のサブキャリアは、１リソースユニットにおけるＲＳグリッド上の最高（付近）（又は、最低（付近））の周波数のサブキャリアであってもよいし（図１５Ａ）、ＲＳグリッド上の中央（付近）の周波数のサブキャリアであってもよい（図１５Ｂ及び１５Ｃ）。また、当該特定のシンボルは、ＲＳグリッド上の最初（付近）のシンボルであってもよいし（図１５Ｃ）、ＲＳグリッド上の中央（付近）のシンボルであってもよい（図１５Ａ及び１５Ｂ）、図示しないが、ＲＳグリッド上の最終（付近）のシンボルであってもよい。
【０１２３】
図１５Ａ−１５Ｃに示すように、特定のサブキャリア及び特定のシンボルのＲＳグリッド上のＲＥにＤＭ−ＲＳをマッピングする場合（Ｔ字型マッピングともいう）、特定のサブキャリア上の複数のＤＭ−ＲＳにより最大遅延スプレッドをサポートし、特定のシンボル上の複数のＤＭ−ＲＳにより最大ドップラー周波数をサポートし、かつ、リソースユニット内のＤＭ−ＲＳによるオーバヘッドを削減できる。
【０１２４】
＜第２のマッピング例＞
図１６は、ＤＭ−ＲＳの第２のマッピング例を示す図である。図１６では、上記特定のサブキャリア及び／又は上記特定のシンボルを複数とする場合が示される。
【０１２５】
例えば、当該特定のシンボルは、１リソースユニットにおけるＲＳグリッド上の最初のシンボル及び最終のシンボルであってもよいし（図１６Ａ、１６Ｃ）、ＲＳグリッド上の所定間隔のシンボルであってもよい（図１６Ｄ）。また、当該特定のシンボルは、ＲＳグリッド上の最高（付近）及び／又は最低（付近）の周波数のサブキャリアであってもよい（図１６Ｃ及び１６Ｄ）し、図示しないが、中央（付近）の周波数のサブキャリアであってもよい。
【０１２６】
図１６Ａ−１６Ｄに示すように、一以上の特定のサブキャリア及び一以上の特定のシンボルのＲＳグリッド上のＲＥにＤＭ−ＲＳをマッピングする場合（Π字型マッピングともいう）、特定のサブキャリア上の複数のＤＭ−ＲＳにより最大遅延スプレッドをサポートし、特定のシンボル上の複数のＤＭ−ＲＳにより最大ドップラー周波数をサポートし、かつ、リソースユニット内のＤＭ−ＲＳによるオーバヘッドを削減できる。また、上述のＴ字型マッピングと比べて、周波数方向及び／又は時間方向のチャネル推定精度を向上させることができる。
【０１２７】
＜第３のマッピング例＞
図１７は、ＤＭ−ＲＳの第３のマッピング例を示す図である。図１７では、上記特定のサブキャリア及び上記特定のシンボルを複数とする場合が示される。例えば、図１７では、ＤＭ−ＲＳがマッピングされる特定のサブキャリア及び特定のシンボルは、ＲＳグリッド上の全サブキャリア及び全シンボルである。
【０１２８】
図１７に示すように、１リソースユニットにおけるＲＳグリッド上の複数のサブキャリア及び複数のシンボルのＲＳグリッド上のＲＥにＤＭ−ＲＳをマッピングする場合（碁盤の目型マッピングともいう）、最大遅延スプレッド及び最大ドップラー周波数をサポートできる。また、上述のＴ字型マッピング又はΠ字型マッピングと比較して、１リソースユニットあたりのオーバヘッドは増加するが、チャネル推定精度を向上させることができる。
【０１２９】
＜第４のマッピング例＞
図１８は、ＤＭ−ＲＳの第４のマッピング例を示す図である。図１８Ａでは、ユーザ端末が使用する全てのサブキャリアにＤＭ−ＲＳをマッピングする場合が示される。この場合、ＤＭ−ＲＳの設定は時間方向の間隔（ΔｔＲＳ）だけ設定すればよく、ΔｆＲＳの設定は不要とすることができる。また、図１８では、既存のＬＴＥシステムと同様に各サブキャリアにＤＭ−ＲＳをマッピングすることができる。
【０１３０】
図１８Ａに示すように、１ユニットにおいて各サブキャリアにＤＭ−ＲＳをマッピングする場合（Ｉ型マッピングともいう）、上述のＴ字型マッピング又はΠ字型マッピングと比較して、１リソースユニットあたりのオーバヘッドは増加するが、チャネル推定精度を向上させることができる。また、無線基地局は、ユーザ端末に対してΔｔＲＳだけ通知すればよい（ΔｆＲＳの通知を不要とすることができる）ため、シグナリングのオーバヘッドを削減することができる。
【０１３１】
また、ＤＭ−ＲＳの第４のマッピングの他の例として、図１８Ｂに示すように、ユーザ端末が使用する帯域全体にＤＭ−ＲＳをマッピングしてもよい。この場合、帯域全体において、時間方向の間隔（ΔｔＲＳ）だけ設定すればよく、ΔｆＲＳの設定は不要とすることができる。
【０１３２】
図１５−１８では、１アンテナポートに対するＤＭ−ＲＳのマッピング例を示している。複数のアンテナポートを利用する場合には、ＣＤＭ、ＦＤＭ、ＴＤＭの少なくとも一つを用いて各アンテナポートのＤＭ−ＲＳを多重することができる。
【０１３３】
なお、第３の態様で説明したいずれのマッピング例を適用するかは、予め定められていてもよいし、上位レイヤシグナリングにより設定されてもよいし、動的に選択され、Ｌ１／Ｌ２制御チャネルによりユーザ端末に通知されてもよい。
【０１３４】
また、以上のマッピング例が適用されるＤＭ−ＲＳは、データ（ＰＵＳＣＨ）がマッピングされるサブキャリア及び／又はシンボルで送信されてもよいし、ＰＵＳＣＨがマッピングされないサブキャリア及び／又はシンボルで送信されてもよい。例えば、リソースユニット内の４番目のシンボル以降でデータが送信される場合に、１番目のシンボルでＤＭ−ＲＳを送信してもよい。
【０１３５】
（第４の態様）
第４の態様では、ランダムアクセスプリアンブルとＲＳグリッドの設定方法について説明する。
【０１３６】
ランダムアクセスプリアンブルは、ＲＳグリッドと同様にドップラー周波数や遅延スプレッドに応じて最適な設定を定めることが好ましい。したがって、ランダムアクセスプリアンブルのパラメータと、ＲＳグリッドの設定を組み合わせて規定することができる。
【０１３７】
例えば、ランダムアクセスプリアンブルのパラメータ（系列数、サイクリックシフト（Cyclic-shift）量、Ｒｏｏｔ  Ｓｅｑｕｅｎｃｅ数、ＣＰ長等の少なくとも一つ）とＲＳグリッドの設定は、組み合わせて規定することができる。一例として、ランダムアクセスプリアンブルの設定とＲＳグリッドの設定、Ｒｏｏｔ  ＳｅｑｕｅｎｃｅとＲＳグリッドの設定、ランダムアクセスプリアンブルのＣＰ長とＲＳグリッドの設定、の少なくとも一つはセットで設定する。
【０１３８】
無線基地局は、ＲＳグリッドとセットで設定したランダムアクセスプリアンブルのパラメータについて、上位レイヤシグナリング等を利用してユーザ端末に通知することができる。この際、無線基地局は、ＲＳグリッドに関する情報とランダムアクセスプリアンブルのパラメータを同じタイミングで上位レイヤシグナリング等でユーザ端末に通知してもよいし、異なるタイミング（異なる信号及び／又はチャネル）で通知してもよい。
【０１３９】
（第５の態様）
第５の態様では、ユーザ端末におけるＵＬ送信電力制御について説明する。
【０１４０】
上述したように、ニューメロロジーグリッドとＲＳグリッドを利用してＵＬ参照信号の割当てを行う場合、選択するグリッドの種別に応じてＵＬ送信の伝送時間間隔（ＴＴＩ）に含まれる参照信号の量（割合）が変化する場合が生じる。かかる場合、ユーザ端末は、ＴＴＩ（例えば、サブフレーム）で割当てるＵＬ参照信号の量に基づいて、ＵＬ送信電力を制御する構成としてもよい。
【０１４１】
例えば、ユーザ端末は、１ＴＴＩで送信するＵＬ参照信号の量（割合）が多くなるにしたがって、ＵＬ送信電力（例えば、ＲＥあたりのＵＬ参照信号の送信電力）を小さく設定する。一方で、ユーザ端末は、１ＴＴＩで送信するＵＬ参照信号の量が少なくなるにしたがって、ＵＬ送信電力（例えば、ＲＥあたりのＵＬ参照信号の送信電力）を大きく設定することができる。この場合、１ＴＴＩで送信するＵＬ参照信号の量（割合）に応じた送信電力オフセット値を一つ又は複数設定し、ＵＬ参照信号の量に応じてユーザ端末が所定のオフセット値を選択してＵＬ送信電力を制御することができる。
【０１４２】
このように、ＵＬ参照信号の量に応じてＵＬ送信電力を制御することにより、送信するＵＬ参照信号の量（割合）が変化する場合でも、他のＵＬ信号（例えば、上り共有チャネル及び／又は上り制御チャネル）に適用する送信電力を確保することができる。
【０１４３】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、組み合わせて適用されてもよい。
【０１４４】
図１９は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、５Ｇ＋、ＦＲＡ（Future  Radio  Access）などと呼ばれても良い。
【０１４５】
図１９に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間で異なるニューメロロジーが適用される構成としてもよい。なお、ニューメロロジーとは、あるＲＡＴにおける信号のデザインや、ＲＡＴのデザインを特徴付ける通信パラメータのセットのことをいう。
【０１４６】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。なお、複数のセルのいずれかに短縮ＴＴＩを適用するＴＤＤキャリアが含まれる構成とすることができる。
【０１４７】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１４８】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１４９】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１５０】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１５１】
各ユーザ端末２０は、ＬＴＥ、ＬＴＥ−Ａなどの各種通信方式に対応した端末であり、移動通信端末だけでなく固定通信端末を含んでもよい。
【０１５２】
無線通信システム１においては、無線アクセス方式として、下りリンクにＯＦＤＭＡ（直交周波数分割多元接続）が適用され、上りリンクにＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、上りリンクでＯＦＤＭＡが用いられてもよい。
【０１５３】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【０１５４】
下りＬ１／Ｌ２制御チャネルは、下り制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認情報（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１５５】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。送達確認情報（ＡＣＫ／ＮＡＣＫ）や無線品質情報（ＣＱＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルが伝送される。
【０１５６】
＜無線基地局＞
図２０は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。
【０１５７】
下りリンクにより無線基地局１０からユーザ端末２０に送信されるユーザデータは、上位局装置３０から伝送路インターフェース１０６を介してベースバンド信号処理部１０４に入力される。
【０１５８】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、ＤＬ制御信号に関しても、チャネル符号化や逆高速フーリエ変換などの送信処理が行われて、送受信部１０３に転送される。
【０１５９】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１６０】
送受信部（送信部）１０３は、ユーザ端末から送信されるＵＬ参照信号を受信する。ＵＬ参照信号は、サブキャリア及びシンボルで構成される各リソース要素を定める第１のグリッド（例えば、ニューメロロジーグリッド）と、ＵＬ参照信号の周波数方向の配置間隔及び時間方向の配置間隔を定める第２のグリッド（例えば、ＲＳグリッド）と、に基づいて、少なくとも一つのリソース要素にマッピングされてユーザ端末から送信される。
【０１６１】
送受信部（送信部）１０３は、ニューメロロジーグリッド及び／又はＲＳグリッドに関する情報をユーザ端末に通知してもよい。ニューメロロジーグリッドに関する情報は、ユーザ端末がデータ等の通信に利用するグリッドの情報であってもよいし、ニューメロロジーグリッドがあらかじめ仕様で定義される場合には、ユーザ端末に設定するニューメロロジーの情報としてもよい。また、ＲＳグリッドに関する情報は、Δｆｎｕｍ及び／又はΔｔｎｕｍに関する情報とすることができる。Δｆｎｕｍ及び／又はΔｔｎｕｍに関する情報は、当該Δｆｎｕｍ及び／又はΔｔｎｕｍそのものであってもよいし、Δｆｎｕｍ及び／又はΔｔｎｕｍを決定するためのパラメータとしてもよい。
【０１６２】
送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１６３】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１６４】
ベースバンド信号処理部１０４では、入力されたＵＬ信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１６５】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１６６】
図２１は、本実施の形態に係る無線基地局の機能構成の一例を示す図である。なお、図２１では、本実施の形態における特徴部分の機能ブロックを主に示しており、無線基地局１０は、無線通信に必要な他の機能ブロックも有しているものとする。図２１に示すように、ベースバンド信号処理部１０４は、制御部（スケジューラ）３０１と、送信信号生成部（生成部）３０２と、マッピング部３０３と、受信信号処理部３０４と、測定部３０５と、を備えている。
【０１６７】
制御部（スケジューラ）３０１は、ＰＤＳＣＨで送信されるＤＬデータ信号、ＰＤＣＣＨ及び／又はＥＰＤＣＣＨで伝送されるＤＬ制御信号のスケジューリング（例えば、リソース割り当て）を制御する。また、システム情報、同期信号、ページング情報、ＣＲＳ（Cell-specific  Reference  Signal）、ＣＳＩ−ＲＳ（Channel  State  Information  Reference  Signal）等のスケジューリングの制御も行う。また、上り参照信号、ＰＵＳＣＨで送信される上りデータ信号、ＰＵＣＣＨ及び／又はＰＵＳＣＨで送信されるＵＬ制御信号等のスケジューリングを制御する。
【０１６８】
制御部（スケジューラ）３０１は、ＤＬデータ信号、ＤＬ制御信号のスケジューリング（例えば、リソース割り当て）を制御する。また、システム情報、同期信号、ページング情報、ＤＬ参照信号等のスケジューリングの制御も行う。また、ＵＬ参照信号、ＵＬデータ信号、ＵＬ制御信号等のスケジューリングを制御する。
【０１６９】
制御部３０１は、送受信部（送信部）１０３によるＤＬ信号の送信及び／又はＵＬ信号の受信を制御することができる。また、制御部３０１は、マッピング部３０３によるＤＬ信号のマッピングを制御することができる。
【０１７０】
例えば、制御部３０１は、サブキャリア及びシンボルで構成される各リソース要素を定めるニューメロロジーグリッド（第１のグリッド）と、ＤＬ参照信号の周波数方向の配置間隔及び時間方向の配置間隔を定めるＲＳグリッド（第２のグリッド）と、に基づいて、少なくとも一つのリソース要素（ＲＥ）にマッピングされるＵＬ参照信号を受信するように、送受信部１０３を制御してもよい。制御部３０１は、本発明に係る技術分野での共通認識に基づいて説明されるコントローラ、制御回路又は制御装置とすることができる。
【０１７１】
送信信号生成部３０２は、制御部３０１からの指示に基づいて、ＤＬ信号（ＤＬデータ信号、ＤＬ制御信号、ＤＬ参照信号、同期信号、報知信号を含む）を生成して、マッピング部３０３に出力する。
【０１７２】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【０１７３】
受信信号処理部３０４は、ユーザ端末２０から送信されるＵＬ信号に対して、受信処理（例えば、デマッピング、復調、復号など）を行う。処理結果は、制御部３０１に出力される。受信信号処理部３０４から入力されるＣＳＩに基づいて、制御部３０１による制御が行われてもよい。
【０１７４】
受信信号処理部３０４は、本発明に係る技術分野での共通認識に基づいて説明される信号処理器、信号処理回路又は信号処理装置、並びに、測定器、測定回路又は測定装置から構成することができる。
【０１７５】
測定部３０５は、ＵＬ参照信号に基づいて、ＵＬの受信品質の測定を行う。測定部３０５は、測定結果を制御部３０１に出力する。測定部３０５は、本発明に係る技術分野での共通認識に基づいて説明される測定回路又測定装置から構成することができる。
【０１７６】
＜ユーザ端末＞
図２２は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。なお、送受信部２０３は、送信部及び受信部から構成されてもよい。
【０１７７】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１７８】
送受信部（受信部）２０３は、無線基地局から送信されるＤＬ信号（例えば、ＤＬデータ信号、ＤＬ制御信号、ＤＬ参照信号、同期信号、報知信号、ディスカバリー信号等）を受信する。
【０１７９】
また、送受信部（受信部）２０３は、ニューメロロジーグリッドに関する情報（例えば、Δｆｎｕｍ、Δｔｎｕｍ）及びＲＳグリッドに関する情報（例えば、ΔｆＲＳ、ΔｔＲＳ）を受信してもよい。
【０１８０】
送受信部２０３は、本発明に係る技術分野での共通認識に基づいて説明されるトランスミッター／レシーバー、送受信回路又は送受信装置とすることができる。
【０１８１】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１８２】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて各送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１８３】
図２３は、本実施の形態に係るユーザ端末の機能構成の一例を示す図である。なお、図２３においては、本実施の形態における特徴部分の機能ブロックを主に示しており、ユーザ端末２０は、無線通信に必要な他の機能ブロックも有しているものとする。図２３に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１８４】
制御部４０１は、無線基地局１０から送信されたＤＬ制御信号（ＰＤＣＣＨ／ＥＰＤＣＣＨ）及びＤＬデータ信号（ＰＤＳＣＨ）を、受信信号処理部４０４から取得する。制御部４０１は、ＤＬ制御信号や、ＤＬデータ信号に対する再送制御の要否を判定した結果などに基づいて、ＵＬ制御信号（例えば、送達確認信号（ＨＡＲＱ−ＡＣＫ）など）や上りデータ信号の生成を制御する。具体的には、制御部４０１は、送信信号生成部４０２、マッピング部４０３及び受信信号処理部４０４の制御を行うことができる。
【０１８５】
制御部４０１は、送受信部（送信部）２０３によるＵＬ信号の送信及び／又はＤＬ信号の受信を制御することができる。また、制御部４０１は、マッピング部４０３によるＵＬ信号のマッピングを制御することができる。
【０１８６】
例えば、制御部４０１は、サブキャリア及びシンボルで構成される各リソース要素を定めるニューメロロジーグリッド（第１のグリッド）と、ＤＬ参照信号の周波数方向の配置間隔及び時間方向の配置間隔を定めるＲＳグリッド（第２のグリッド）と、に基づいて、少なくとも一つのリソース要素（ＲＥ）にＵＬ参照信号をマッピングするよう、マッピング部４０３を制御してもよい（第１の態様）。
【０１８７】
ここで、ＲＳグリッドにおいて、ＵＬ参照信号の周波数方向の配置間隔は、遅延スプレッドに基づいて定められ、時間方向の配置間隔は、ドップラー周波数に基づいて定められてもよい（図２）。また、単一のニューメロロジーグリッドに対して複数のＲＳグリッドが設定されてもよいし（図３−５）、複数のニューメロロジーグリッドに対して単一のＲＳグリッドが設定されてもよいし（図６−８）、複数のニューメロロジーグリッドにそれぞれ対応する複数のＲＳグリッドが設定されてもよい。
【０１８８】
また、制御部４０１は、ニューメロロジーグリッドにより定まる各ＲＥのサブキャリアの間隔（サブキャリア間隔）及び／又はシンボルの時間長（シンボル長）に基づいて、ＲＳグリッドにおける周波数方向の配置間隔及び／又は時間方向の配置間隔を制御してもよい（図１０Ａ、図１１、図１２Ｄ）。
【０１８９】
また、制御部４０１は、ＵＬ参照信号のマッピング候補となる複数のＲＥ（候補ＲＥ）が存在する場合、当該複数のＲＥの少なくとも一つにＵＬ参照信号をマッピングしてもよい（図１２Ｂ及び１２Ｃ）。
【０１９０】
また、制御部４０１は、リソースユニット内に配置されるチャネルに基づいて、ＲＳグリッドの設定を制御してもよい。具体的には、リソースユニット内に配置されるチャネルに基づいてＲＳグリッドをニューメロロジーグリッドに重ねる基準となる基準シンボル及び／又は基準サブキャリアを決定してもよい（図１３）。
【０１９１】
また、制御部４０１は、ニューメロロジーグリッドとＲＳグリッドとにより決定されるＵＬ参照信号の配置ＲＥを変更してもよい。具体的には、制御部４０１は、１リソースユニット内のＲＥ数に基づいて、ＵＬ参照信号の配置ＲＥを追加してもよいし、ＵＬ参照信号の配置ＲＥの少なくとも一つを削除してもよい（間引いてもよい）し、ＵＬ参照信号の配置ＲＥの少なくとも一つを周波数方向及び／又は時間方向にシフトしてもよい（図１４）。
【０１９２】
また、制御部４０１は、送信信号生成部４０２によるＵＬ信号の生成を制御してもよい（第２の態様）。具体的には、制御部４０１は、セル識別情報、ユーザ端末識別情報、スクランブル識別情報、スロット番号、上位レイヤ制御情報の少なくとも一つに基づいて、ＵＬ参照信号の生成を制御してもよい。
【０１９３】
例えば、制御部４０１は、セル識別情報、ユーザ端末識別情報、スクランブル識別情報、スロット番号、上位レイヤ制御情報の少なくとも一つに基づいて初期化される（系列シードとする）ＰＮ系列又はＺａｄｏｆｆ−Ｃｈｕ系列を生成し、当該ＰＮ系列又はＺａｄｏｆｆ−Ｃｈｕ系列に基づいてＵＬ参照信号を生成するよう、送信信号生成部４０２を制御してもよい。
【０１９４】
また、制御部４０１は、ニューメロロジーグリッドとＲＳグリッドとに基づいて、ＤＭ−ＲＳをマッピングするＲＥ（マッピングＲＥ）を決定してもよい（第３の態様）。具体的には、制御部４０１は、特定のサブキャリアにおけるＲＳグリッド上のＲＥと、特定のシンボルにおけるＲＳグリッド上のＲＥとを、マッピングＲＥとして決定してもよい（図１５−１８）。
【０１９５】
また、制御部４０１は、ランダムアクセスプリアンブルのパラメータ（系列数、サイクリックシフト（Cyclic-shift）量、Ｒｏｏｔ  Ｓｅｑｕｅｎｃｅ数、ＣＰ長等の少なくとも一つ）とＲＳグリッドを組み合わせて設定することができる（第４の態様）。例えば、制御部４０１は、ＲＳグリッドとセットで設定したランダムアクセスプリアンブルのパラメータについて、上位レイヤシグナリング等を利用してユーザ端末に通知するように制御することができる。
【０１９６】
また、制御部４０１は、ＴＴＩ（例えば、サブフレーム）で割当てるＵＬ参照信号の量に基づいて、ＵＬ送信電力を制御することができる（第５の態様）。例えば、制御部４０１は、１ＴＴＩで送信するＵＬ参照信号の量（割合）が多くなるにしたがって、ＵＬ送信電力を小さく設定し、１ＴＴＩで送信するＵＬ参照信号の量が少なくなるにしたがって、ＵＬ送信電力を大きく設定することができる。
【０１９７】
なお、ＲＳグリッドは、ＤＭ−ＲＳ及び／又はＣＳＩ−ＲＳのアンテナポート毎に設定されてもよいし、複数のアンテナポートに対して一つ設定されてもよい。制御部４０１は、複数のアンテナポートのＤＭ−ＲＳをＣＤＭ、ＦＤＭ、ＴＤＭの少なくとも一つで多重してもよい。同様に、制御部４０１は、複数のアンテナポートのＣＳＩ−ＲＳをＣＤＭ、ＦＤＭ、ＴＤＭの少なくとも一つで多重してもよい。
【０１９８】
また、制御部４０１は、無線基地局１０から通知される、メロロジーグリッドに関する情報及びＲＳグリッドに関する情報に基づいて、ニューメロロジーグリッド及びＲＳグリッドとの設定を制御してもよい。制御部４０１は、本発明に係る技術分野での共通認識に基づいて説明されるコントローラ、制御回路又は制御装置とすることができる。
【０１９９】
送信信号生成部４０２は、制御部４０１からの指示に基づいて、ＵＬ信号を生成して、マッピング部４０３に出力する。例えば、送信信号生成部４０２は、制御部４０１からの指示に基づいて、送達確認信号（ＨＡＲＱ−ＡＣＫ）やチャネル状態情報（ＣＳＩ）等のＵＬ制御信号を生成する。
【０２００】
また、送信信号生成部４０２は、制御部４０１からの指示に基づいて上りデータ信号を生成する。例えば、送信信号生成部４０２は、無線基地局１０から通知されるＤＬ制御信号にＵＬグラントが含まれている場合に、制御部４０１から上りデータ信号の生成を指示される。送信信号生成部４０２は、本発明に係る技術分野での共通認識に基づいて説明される信号生成器、信号生成回路又は信号生成装置とすることができる。
【０２０１】
マッピング部４０３は、制御部４０１からの指示に基づいて、送信信号生成部４０２で生成されたＵＬ信号（ＵＬ制御信号及び／又は上りデータ）を無線リソースにマッピングして、送受信部２０３へ出力する。マッピング部４０３は、本発明に係る技術分野での共通認識に基づいて説明されるマッパー、マッピング回路又はマッピング装置とすることができる。
【０２０２】
受信信号処理部４０４は、ＤＬ信号（例えば、無線基地局から送信されたＤＬ制御信号、ＰＤＳＣＨで送信されたＤＬデータ信号等）に対して、受信処理（例えば、デマッピング、復調、復号など）を行う。受信信号処理部４０４は、無線基地局１０から受信した情報を、制御部４０１、測定部４０５に出力する。受信信号処理部４０４は、例えば、報知情報、システム情報、ＲＲＣシグナリング、ＤＣＩなどを、制御部４０１に出力する。
【０２０３】
受信信号処理部４０４は、本発明に係る技術分野での共通認識に基づいて説明される信号処理器、信号処理回路又は信号処理装置、並びに、測定器、測定回路又は測定装置から構成することができる。また、受信信号処理部４０４は、本発明に係る受信部を構成することができる。
【０２０４】
測定部４０５は、ＤＬ参照信号に基づいて、ＣＳＩ測定及び／又はＲＲＭ測定を行う。測定部４０５は、測定結果を制御部４０１に出力する。測定部４０５は、本発明に係る技術分野での共通認識に基づいて説明される測定回路又測定装置から構成することができる。
【０２０５】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０２０６】
例えば、本実施の形態における無線基地局、ユーザ端末などは、本発明の無線通信方法の処理を行うコンピュータとして機能してもよい。図２４は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２０７】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２０８】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０２０９】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【０２１０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０２１１】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０２１２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０２１３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０２１４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送受信アンテナ１０１（２０１）、アンプ部１０２（２０２）、送受信部１０３（２０３）、伝送路インターフェース１０６などは、通信装置１００４で実現されてもよい。
【０２１５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２１６】
また、プロセッサ１００１やメモリ１００２などの各装置は、情報を通信するためのバス１００７で接続される。バス１００７は、単一のバスで構成されてもよいし、装置間で異なるバスで構成されてもよい。
【０２１７】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０２１８】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２１９】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。
【０２２０】
無線フレーム、サブフレーム、スロット及びシンボルは、いずれも信号を伝送する際の時間単位を表す。無線フレーム、サブフレーム、スロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロットがＴＴＩと呼ばれてもよい。つまり、サブフレームやＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０２２１】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅や送信電力など）を、ＴＴＩ単位で割り当てるスケジューリングを行う。なお、ＴＴＩの定義はこれに限られない。ＴＴＩは、チャネル符号化されたデータパケット（トランスポートブロック）の送信時間単位であってもよいし、スケジューリングやリンクアダプテーションなどの処理単位となってもよい。
【０２２２】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、短縮サブフレーム、又はショートサブフレームなどと呼ばれてもよい。
【０２２３】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペアなどと呼ばれてもよい。
【０２２４】
また、リソースブロックは、１つ又は複数のリソース要素（ＲＥ：Resource  Element）で構成されてもよい。例えば、１ＲＥは、１サブキャリア及び１シンボルの無線リソース領域であってもよい。なお、１ＲＥは、リソースの割り当て単位となるリソースユニット（リソースブロック等ともいう）より小さい単位のリソース（例えば、最小のリソース単位）であればよく、ＲＥという呼称に限られない。
【０２２５】
なお、上述した無線フレーム、サブフレーム、スロット及びシンボルなどの構造は例示に過ぎない。例えば、無線フレームに含まれるサブフレームの数、サブフレームに含まれるスロットの数、スロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２２６】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０２２７】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０２２８】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２９】
また、情報、信号などは、上位レイヤから下位レイヤ、及び／又は下位レイヤから上位レイヤへ出力され得る。情報、信号などは、複数のネットワークノードを介して入出力されてもよい。
【０２３０】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０２３１】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、報知情報（ＭＩＢ（Master  Information  Block）、ＳＩＢ（System  Information  Block）など）、ＭＡＣ（Medium  Access  Control）シグナリング）、その他の信号又はこれらの組み合わせによって実施されてもよい。
【０２３２】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０２３３】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０２３４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２３５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２３６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２３７】
本明細書で使用する「システム」及び「ネットワーク」という用語は、互換的に使用される。
【０２３８】
本明細書では、「基地局（ＢＳ：Base  Station）」、「無線基地局」、「ｅＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２３９】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２４０】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２４１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４２】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」や「下り」などの文言は、「サイド」と読み替えられてもよい。例えば、上りチャネルは、サイドチャネルと読み替えられてもよい。
【０２４３】
同様に、本明細書におけるユーザ端末は、無線基地局で読み替えてもよい。この場合、上述のユーザ端末２０が有する機能を無線基地局１０が有する構成としてもよい。
【０２４４】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２４５】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２４６】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２４７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４８】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２４９】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベースまたは別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２５０】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２５１】
本明細書又は特許請求の範囲で「含む（including）」、「含んでいる（comprising）」、及びそれらの変形が使用されている場合、これらの用語は、用語「備える」と同様に、包括的であることが意図される。さらに、本明細書あるいは特許請求の範囲において使用されている用語「又は（or）」は、排他的論理和ではないことが意図される。
【０２５２】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。 
【０２５３】
本出願は、２０１６年４月１５日出願の特願２０１６−０８２５３１に基づく。この内容は、全てここに含めておく。
【図１】
2017179658.tif 000003
【図２】
2017179658.tif 000004
【図３】
2017179658.tif 000005
【図４】
2017179658.tif 000006
【図５】
2017179658.tif 000007
【図６】
2017179658.tif 000008
【図７】
2017179658.tif 000009
【図８】
2017179658.tif 000010
【図９】
2017179658.tif 000011
【図１０】
2017179658.tif 000012
【図１１】
2017179658.tif 000013
【図１２】
2017179658.tif 000014
【図１３】
2017179658.tif 000015
【図１４】
2017179658.tif 000016
【図１５】
2017179658.tif 000017
【図１６】
2017179658.tif 000018
【図１７】
2017179658.tif 000019
【図１８】
2017179658.tif 000020
【図１９】
2017179658.tif 000021
【図２０】
2017179658.tif 000022
【図２１】
2017179658.tif 000023
【図２２】
2017179658.tif 000024
【図２３】
2017179658.tif 000025
【図２４】
2017179658.tif 000026
【国際調査報告】
2017179658.tif 000027
2017179658.tif 000028
2017179658.tif 000029